(57)【要約】【課題】床材と床材の接合部を床材製造段階で床材にシーリング材を塗布しておくことで床材間の接合部の防水処理を施した床材とその製造方法および施工方法を提供する。【解決手段】隣接した二側面に雄実２を、他の二側面に雌実３を施した床材１において、雄実２の上面２１から床表面にいたる雄実上部当接面２２と雌実３の上面３１から床表面にいたる雌実上部当接面３２のそれぞれの面にシーリング材４を床材製造段階で塗布してなる床材。シーリング材がシリコン樹脂であり、特にシーリング材がテープ状の離型紙付きシーリング材であることが好ましい。【選択図】図１
2009052244.tif 000002
【特許請求の範囲】
【請求項１】
隣接した二側面に雄実を、他の二側面に雌実を施した床材において、雄実の上面から床表面にいたる雄実上部当接面と雌実の上面から床表面にいたる雌実上部当接面のそれぞれの面にシーリング材を床材製造段階で塗布してなる床材。
【請求項２】
上記シーリング材がシリコン樹脂である請求項１記載の床材。
【請求項３】
上記シーリング材がテープ状の離型紙付きシーリング材である請求項１記載の床材。
【請求項４】
雄実の上面から床表面にいたる雄実上部当接面と雌実の上面から床表面にいた
る雌実上部当接面のそれぞれの面にシーリング材を塗布してなる床材の製造方法
であって、雄実用冶具および雌実用冶具をそれぞれの雄実端部および雌実端部に
配すると共に、当該雄実用冶具および雌実用冶具と床材間とに生じる空間部を利用して雄実の上面と雄実上部当接面および雌実の上面と雌実上部当接面にシーリング材を塗布することを特徴とする床材の製造方法。
【請求項５】
端面に実加工を施してなる床材を敷設する床材の施工方法であって、雄実の上面から床表面にいたる雄実上部当接面と、雌実の雌実上面から床表面にいたる雌実上部当接面のそれぞれの面にシーリング材を床材製造段階で塗布してなる床材を構成し、該床材を敷設する際に該シーリング材を圧接するように雄実と隣接する床材の雌実を嵌合させ、該雄実および雌実のシーリング材の塗布されていないそれぞれの雄実下部当接面と雌実下部当接面とを固着させるに際し接着剤を介在させたことを特徴とする床材の施工方法。
【発明の詳細な説明】
【技術分野】
【０００１】
本発明は、端面にシーリング材による防水処理を施した木質の床材とその製造方法およびその施工方法に関する。さらに詳しくはその端面処理が床材製造段階でなされていることを特徴とする。
【背景技術】
【０００２】
床材は内装部材として木質系の材料が広く使用されている。これら床材は厚さ５〜１５mm程度の合板その他の木質材を基板として用い、その表面に木質化粧単板あるいはプラスチックシートといった表面化粧材が貼着されている。床材を構成する木質材は水分を吸収すると膨潤、ねじれその他の変形が生じる。床材の表面に貼着された木質化粧単板には一般に塗装等が施され表面から水分等が木質材に浸入することはないが、床材端面には床材同士の結合のための実加工が行われる結果、防水処理を施すことは困難なものである。
【０００３】
そのために床材の変形等を防止するために床材端面に防水処理を施す必要がある場合は、従来は本願の図７に示すように、床材１、１を実結合するとき雄実２と雌実３との結合部に接着剤９を用いるとともに、床表面側の当該結合部にシーリング材４を装着していたが、床表面にシーリング材４の付着を防止するためにマスキングテープ１１を用いていた。このため上記防水処理法はその施工作業が面倒であった。この欠点を解消する手段として下記特許文献１に示されているように実部を樹脂等で補強することが行われている。
【特許文献１】特開平６−１３６９２１号公報（第１４頁〜第１６頁、第１図）
【発明の開示】
【発明が解決しようとする課題】
【０００４】
しかしながら上記特許文献１に記載の技術は木質板の背面に無機質繊維板を貼り合わせて形成した床材を用いたものであり無機質繊維板の雄実および雌実の部分の強度を樹脂等で補強することを主眼としており、木質材の水分吸収を防止するものでない。特に無機質繊維板に樹脂含浸するには実加工前に行う必要があり実加工により樹脂のロスが多く出るものであり、また樹脂含浸により実部が硬く実加工が困難となる問題がある。
【０００５】
本発明はこのような問題を解決して木質材で床材を構成し、簡単な方法で床材結合部からの水の浸入を防止するものであり、かつその施工も容易な床材とその製造方法および施工方法を提供することを課題とする。
【課題を解決するための手段】
【０００６】
上記課題を解決するために、本発明においては次のような技術手段を講じている。すなわち請求項１に記載した床材は隣接した二側面に雄実を、他の二側面に雌実を施した床材において、雄実の上面から床表面にいたる雄実上部当接面と雌実から床表面にいたる雌実上部当接面のそれぞれの面にシーリング材を床材製造段階で塗布することを特徴とするものである。
【０００７】
床材の材質としては合板、ＭＤＦ等が多く用いられているが床材上部を構成するものとして厚い無垢単板が使用されることもある。特に最近はラワン等の南洋材の入手が困難となり節等の多い北洋材と均質なＭＤＦを複合した床材を基板とすることが多くなっている。
【０００８】
本願請求項2に記載した発明は上記請求項１記載の床材において上記シーリング材がシリコン樹脂であることを特徴とする。
【０００９】
シリコン樹脂を採用したのはレジン状、ペースト状あるいはシート状等種々の形状で供給が可能であるとともに、温度適正がよく高温に耐えることができるものであり、硬化させる場合にもシリコン樹脂に変成等を行うことにより製造方法に合わせた適当なものを選択できる。
【００１０】
本願請求項３に記載した発明は上記請求項１記載の床材において、上記シーリング材がテープ状の離型紙付きシーリング材であることを特徴とする。
【００１１】
本願請求項４に記載した床材の製造方法は雄実の上面から床表面にいたる雄実上部当接面と雌実の上面から床表面にいたる雌実上部当接面のそれぞれの面にシーリング材を塗布してなる床材の製造方法であって、雄実用冶具および雌実用冶具をそれぞれの雄実端部および雌実端部に配すると共に、当該雄実用冶具および雌実用冶具と床材間とに生じる空間部を利用して雄実の上面と雄実上部当接面および雌実の上面と雌実上部当接面にシーリング材を塗布することを特徴とするものである。
【００１２】
本願請求項５に記載した床材の施工方法は端面に実加工を施してなる床材を敷設する床材の施工方法であって、雄実の上面から床表面にいたる雄実上部当接面と、雌実の雌実上面から床表面にいたる雌実上部当接面のそれぞれの面にシーリング材を床材製造段階で塗布してなる床材を構成し、該床材を敷設する際に該シーリング材を圧接するように雄実と隣接する床材の雌実を嵌合させ、該雄実および雌実のシーリング材の塗布されていないそれぞれの雄実下部当接面と雌実下部当接面とを固着させるに際し接着剤を介在させたことを特徴とするものである。
【発明の効果】
【００１３】
請求項１に記載の発明にかかる床材は上記のとおりであり、特に雄実の上面から床表面にいたる雄実上部当接面と雌実の上面から床表面にいたる雌実上部当接面のそれぞれの面にシーリング材を床材製造段階で塗布するものであり、床材施工時に特別なシーリング処理を施す必要がなく、通常の床材と同様に施工することで床材の接合部の防水処理が容易にでき、施工が容易になるものである。
【００１４】
請求項２に記載の発明にかかる床材は上記のとおりであり、特に、シーリング材として用いたシリコン樹脂は耐熱性、耐薬品性、自己潤滑性、及び耐磨耗性に優れ、床材製造段階での処理が容易であり、表面の皮膜形成も温度範囲が広いから適用範囲が広く、又施工後硬化することで架橋密度の高い硬い皮膜を構成するもので防水性に優れたものが得られる。又、シリコン樹脂はレジン状、ペースト状あるいはシート状等種々の形状で供給が可能であるとともに、温度適正がよく高温に耐えることができるものであり、硬化させる場合にもシリコン樹脂に変成等を行うことにより製造方法に合わせた適当なものを選択できる。そのために、製造方法に合わせて適宜の樹脂を選択でき床材の製造が容易になる。
【００１５】
請求項３に記載の発明にかかる床材は上記のとおりであり、特に、テープ状の離型紙付きシーリング材を用いているから、施工時まで離型紙によりシーリング材が空気に触れることがなくかつごみ等の付着がない。そのために雄実と雌実のシーリング材が密着しやすく接合部に空隙が生じがたく床材と床材との接合部における水分の透過を阻止することができる。
【００１６】
請求項４に記載の発明にかかる床材の製造方法は上記のとおりであり、特に、雄実用冶具と雌実用冶具を用いることで床材製造段階において床材の端面における所定の場所にシーリング材を容易に塗布することができる。このときにテープ状の離型紙付きシーリング材を用いることで塗布幅が一定である結果製造が容易となる。
【００１７】
請求項５に記載の発明にかかる床材の施工方法は上記のとおりであり、特に、床材の端部にシーリング材が塗布されているため、隣接する床材間のシーリング材が圧接するように雄実と雌実を嵌合させることでシーリング材が密着し、床材の敷設施工が簡単になりとともに、床材接合部は該シーリング材で効率よく密封性能の安定したシーリング構造が得られる。
【発明を実施するための最良の形態】
【００１８】
以下、本発明の実施形態について図面を参照して詳細に説明する。図１は本発明にかかる床材の一実施例の断面図を示すものである。図１に示すように１は床材全体を示し、床材１は上部材１１と下部材１２とで構成されている。上部材１１は主にＭＤＦ等の表面が平滑で硬質な材料を使用しており、その表面には化粧単板やプラスチックシートあるいは塗装等の表面化粧が施されている。上部材１１としては無垢の厚い板材が用いられることもある。下部材１２は合板やパーチクルボードといった強度と厚みのある材料が使用されている。床材１の全体の厚みは１２〜１５ｍｍが一般的である。上部材１１と下部材１２は面同士が接着一体化されている。
【００１９】
床材１は隣接する二側面に雄実２を、他の二側面に雌実３が施されている。雄実２には雄実２の上面２１から床表面にいたる雄実当接面２２にシーリング材４が塗布されている。同様に雌実３も雌実３の上面３１から床表面にいたる雌実上部当接面３２にシーリング材４が塗布されている。これらシーリング材４は床材製造段階で塗布される。これら雄実２や雌実３は上部材１１と下部材１２の接着面を利用し下部材１２を切削加工して形成するのが一般的である。
【００２０】
シーリング材４としてはシリコン樹脂が適している。シーリング材４としてはシリコン系のほかポリサルファイド系樹脂、ポリウレタン系樹脂、アクリル系樹脂あるいはブチルゴム系樹脂等がありその中には硬化するのに焼付け、乾燥硬化、湿気硬化、硬化剤との混合するもの等種々のものがある。このうちシリコン系のものは耐水性、スリップ性、レジンの抑泡、消泡性などの特性があり、対抗性や耐熱性に優れており顔料分散性もよい。そのためにシリコン系シーリング材４は床材１、１間の接合部の防水性を得るのに適したものである。なお図１および図２において雄実２の上面２１および雌実３の上面３１に凹部１３を形成しているが、これを設けることでシーリング材４と床材１端部との付着強度を向上さすことができる。この凹部１３は凹溝であってもよいが点状に形成されていてもよい。さらに複数本設けてもよい。シーリング材４としてシリコン樹脂以外のものを用いてもよい。
【００２１】
図２は上記図１に示した実施例の改良例を示す部分拡大図であり、雄実２の上面２１から床表面にいたる雄実上部当接面２２にはシーリング材４が塗布されておりこのシーリング材４の表面には離型紙５が付着されている。雌実３も同様に雌実３の上面３１から床表面にいたる雌実上部当接面３２にはシーリング材４が塗布されておりこのシーリング材４の表面には離型紙５が添付されている。この離型紙５付きシーリング材４を用いた場合、施工直前に離型紙５を取り去るものであるからシーリング材４にごみ等が付着したりまたシーリング材４が他の部材に付着したりすることが防止される。離型紙５付きシーリング材４はテープ状の離型紙付きシーリング材６の形で一体化されて供給されるために製造工程が簡略化できる。
【００２２】
雄実２の上面２１から床表面にいたる雄実上部当接面２２と雌実３の上面３１から雌実上部当接面３２のそれぞれの面にシーリング材４を塗布するには図３および図４に示すような雄実用冶具７および雌実用冶具８を用いこれら冶具を床材１の端部に配し床材１とこれら冶具との間に生じる空間部１０にシーリング材４を充填して雄実２の上面２１から雄実上部当接面２２にいたる部分および雌実３の上面３１から雌実上部当接面３２にいたる所定部分にシーリング材４が塗布される。雄実用冶具７および雌実用冶具８の表面にはシーリング材４が付着しないように離型剤が塗布されるかまたはシーリング材４が付着しない材料で構成されている。床材１に塗布されたシーリング材４が流動性をなくした段階でこれら冶具を取り去ることでシーリング材４付き床材１が得られる。テープ状の離型紙付きシーリング材６を用いる場合は、離型紙５がシーリング材４のこれら冶具への付着を阻止するから、当該治具に塗布する離型剤や冶具を形成する材料を考慮する必要がない。
【００２３】
図５に示すものは図１に示した一実施例の床材１、１を結合する直前の状態を示している。すなわち雄実２の上面２１から床表面にいたる雄実上部当接面２２および雌実３の上面３１から床表面にいたる雌実上部当接面３２にはシーリング材４が塗布されており床材１、１を敷設するに際し床材１、１のシーリング材４、４を圧接するように雄実２と接合される床材１の雌実３を嵌合させるとともに、雄実２および雌実３のシーリング材４が塗布されていない雄実下部当接面２３と雌実下部当接面３３とを接着剤９を介在させて固着させる。接着剤９は雄実下部当接面２３と雌実下部当接面３３の両方に塗布するのが好ましいが図５に示すように塗布される接着剤９の量や強度によっては雄実下部当接面２３と雌実下部当接面３３の一方のみに接着剤９を塗布されることもある。接着剤９は雄実２と雌実３を嵌合する前に塗布されるものであり、雄実２上に塗布するほうが雌実３に塗布するより容易である。接着剤９としては一般にエマルジョン型のものが使用される。
【００２４】
図6は雄実２と雌実３が結合された状態を示している。シーリング材４は密着されて床材１、１同士の接合部を密封するものであり、接着剤９はエマルジョン型であるために嵌合により流動し床材１、１同士を連結する。床材１、１は上部接合部がシーリング材で密着しており、実部は雄実２と面実３が嵌合されさらに接着剤９で雄実下部当接面２３と雌実下部当接面３３とが接着されている。接着剤９としては酢ビ系エマルジョン樹脂、酢ビアクリル系エマルジョン樹脂等が流動性の点でよく、嵌合されることで実部2、３からシーリング材４の塗布されていない部分に流動し床材１、１同士を接着する。またこれら接着剤９は木材との相性がよいものである。さらに床材１は床下地と釘等で固定されているものである。
【００２５】
以上に説明したように本願発明にかかる床材１はその雄実２および雌実３の端面にシリコン樹脂その他のシーリング材４が床材１の製造段階で塗布されており、雄実用冶具７および雌実用冶具８を用いることで雄実２および雌実３の所定位置にシリコン樹脂等のシーリング材４が容易に塗布される。そして床材１、１の雄実２と雌実３のシーリング材４を圧接するように雄実２と雌実３を嵌合することで床材１、１間の接合部にシーリング材４が充填されるために床材１内部に水分が入ることがなく、床材１の水分による変形等が防止でき、かつ施工現場の作業の簡略化やシーリング材が他の部材に付着するような施工トラブルがなくなるものである。
【図面の簡単な説明】
【００２６】
【図１】本発明にかかる床材の一実施例を示す断面図。
【図２】上記図１に示した一実施例の改良例を示す部分拡大図。
【図３】上記図１に示した一実施例の床材の雄実にシーリング材を装着するときの部分拡大図。
【図４】上記図１に示した一実施例の床材の雌実にシーリング材を装着するときの部分拡大図。
【図５】上記図１に示した一実施例の床材を結合する直前の状態を示す部分拡大図。
【図６】床材同士が嵌合された状態を示す部分拡大図。
【図７】従来のマスキングテープを用いた施工状態を示す部分拡大図。
【符号の説明】
【００２７】
１        床材
１１      床材の上部材
１２      床材の下部材
１３      凹部
２        雄実
２１      雄実の上面
２２      雄実上部当接面
２３      雄実下部当接面
３        雌実
３１      雌実の上面
３２      雌実上部当接面
３３      雌実下部当接面
４        シーリング材
５        離型紙
６        テープ状の離型紙付きシーリング材
７        雄実用冶具
８        雌実用冶具
９        接着剤
１０      空間部
１１      マスキングテープ
【図１】
2009052244.tif 000003
【図２】
2009052244.tif 000004
【図３】
2009052244.tif 000005
【図４】
2009052244.tif 000006
【図５】
2009052244.tif 000007
【図６】
2009052244.tif 000008
【図７】
2009052244.tif 000009